(57)【要約】  【課題】  優れた嵌合性を有し、その成型性にも優れたホック部を有する包装容器を提供すること。  【解決手段】  頂部41を閉じた略円筒状の突出部と、この突出部の頂部近傍の側面に膨出させた複数の突起42とを形成した嵌合凸部４と、四辺54の各角に半円形の隅部53を形成した開口51と、四辺52を箱状に配置して各角を丸めた空間55とを有し、開口51の周囲において内向きに膨出させた突条54ａを形成した嵌合凹部５とよりなるホック部を具備し、嵌合凸部４の突起42と嵌合凹部５の突条54ａとを係合させて嵌合するものである。【選択図】      図３
2007045495.tif 000002
【特許請求の範囲】
【請求項１】
頂部を閉じた略円筒状の突出部と、該突出部の頂部近傍の側面に膨出させた複数の突起とを形成した嵌合凸部と、
四辺の各角に半円形の隅部を形成した開口と、四辺を箱状に配置して各角を丸めた空間とを有し、上記開口の周囲において内向きに膨出させた突条を形成した嵌合凹部と、
よりなるホック部を具備し、上記嵌合凸部の突起と上記嵌合凹部の突条とを係合させて嵌合することを特徴とする薄肉合成樹脂製の包装容器。
【発明の詳細な説明】
【技術分野】
【０００１】
この発明は、薄肉合成樹脂シートを真空成型またはブロー成型した総菜、野菜、果実、鶏卵などを包装する薄肉合成樹脂製の包装容器に関し、特に、身部分または蓋部分の嵌合凸部と、蓋部分または身部分の嵌合凹部とを嵌合させて封緘するホック部に関する。
【背景技術】
【０００２】
総菜、野菜、果実、鶏卵などは、薄肉合成樹脂シートを成型した包装容器に入れて販売されている。
【０００３】
従来の包装容器は、身部分と、蓋部分と、これら２つの部分を屈曲自在に連結する連結部分とからなり、合成樹脂シートを真空成型またはブロー成型して一体に成型したものであって、身部分および蓋部分の開口部の周囲には、フランジが形成され、一方のフランジには嵌合凸部が形成され、他方のフランジには嵌合凹部が形成されており、身部分に品物を入れて蓋を閉じ、両フランジのホック部として対をなす嵌合凸部と嵌合凹部とを嵌合させて封緘することが実施されている。
【発明の開示】
【発明が解決しようとする課題】
【０００４】
このような薄肉合成樹脂容器と一体に成型するホック部として、下記特許文献に開示されたホック部が知られている。このホック部は、図４（ａ）の断面図に示す嵌合凹部50と、図４（ｂ）の断面図および図４（ｃ）の平面図に示す嵌合凸部40で構成される。
【０００５】
容器のフランジ部11に形成された嵌合凸部40は、リング状溝47で囲まれて、頂部49を有する倒立円錐台形であり、容器のフランジ部21に形成された嵌合凹部50は、リング状堰58で囲まれて、嵌合凸部40の頂部49よりも小さい開口59を有しており、図４（ｃ）に示すように、嵌合凸部40の頂部49には、４つの角部48を形成して、嵌合時に空気の抜けを容易にするように構成されている。
【０００６】
封緘する際には、蓋を閉じて指先でホック部をなす嵌合凸部40と嵌合凹部50とを強く押さえ付けることにより両者を変形させながら嵌合させて封緘を行い、開封する際には、両フランジ部11、21を引き剥がすことにより嵌合凹部50より嵌合凸部40を変形させながら引き出すことにより開封している。
【０００７】
このようなホック部を備えて、封緘・開封を繰り返し行い得る薄肉合成樹脂製の包装容器においては、合成樹脂シートの厚みのバラツキや金型の寸法精度により、容器ごとに嵌合凸部40と嵌合凹部50との嵌合性能にバラツキがあるので、開封する際に収納されている品物をこぼすことがあった。特に、鶏卵包装容器においては、開封する際に鶏卵を落下させて破損することがあった。
【特許文献１】特開平９−２９８２８号公報
【０００８】
そこで、この発明は、優れた嵌合性を有し、その成型性にも優れたホック部を有する包装容器を提供するために考えられたものである。
【課題を解決するための手段】
【０００９】
この発明の薄肉合成樹脂製の包装容器は、頂部41を閉じた略円筒状の突出部と、この突出部の頂部近傍の側面に膨出させた複数の突起42とを形成した嵌合凸部４と、四辺54の各角に半円形の隅部53を形成した開口51と、四辺52を箱状に配置して各角を丸めた空間55とを有し、開口51の周囲において内向きに膨出させた突条54ａを形成した嵌合凹部５とよりなるホック部を具備し、嵌合凸部４の突起42と嵌合凹部５の突条54ａとを係合させて嵌合するものである。
【発明の効果】
【００１０】
この発明の薄肉合成樹脂製の包装容器におけるホック部は、嵌合凸部の側面に膨出させた複数の突起と、嵌合凹部の開口の周囲に内向きに膨出させた突条とを係合させて嵌合するように構成されているので、ホック部が変形し易くて、容器の封緘および開封を容易に繰り返し行うことができる。
【００１１】
この発明の包装容器のホック部によると、合成樹脂シートの厚みのバラツキや金型の寸法精度に影響されることのない優れた成型性を有し、かつ、優れた嵌合性能を得ることができる。
【発明を実施するための最良の形態】
【００１２】
この発明のホック部を適用する包装容器は、図１の斜視図に示すように、身部分１と、蓋部分２と、これら２つの部分を屈曲自在に連結する連結部分３とからなり、合成樹脂シートを真空成型またはブロー成型して一体に成型したものであって、身部分１および蓋部分２の開口部の周囲には、それぞれフランジ11、21が形成されている。
【００１３】
この発明のホック部は、図２の平面図に示すように、身部分１または蓋部分２の一方のフランジ21に嵌合凸部４を形成し、他方のフランジ11に嵌合凹部５を形成したものである。
【００１４】
嵌合凸部４は、図２（ａ）の平面図および図２（ａ）の線Ａ−Ａで裁断した図３（ａ）の断面図に拡大して示すように、頂部41を閉じた円筒状の突出部であって、その頂部41の周囲には四分割して側方に膨出させた突起42を備えている。なお、符号43は、隣接する突起42間の谷間を示している。
【００１５】
嵌合凹部５は、図２（ｂ）の平面図および図２（ｂ）の線Ｂ−Ｂで裁断した図３（ｂ）の断面図に拡大して示すように、四辺54の各角に半円形の隅部53を形成した開口51と、四辺52を箱状に配置して各角を丸めた空間55とにより構成されている。
【００１６】
開口51の半円形の隅部53および空間55の各角の丸みは、同じ曲率であって、両者は開口51より空間55の底部まで連続している。
【００１７】
開口51の四辺54で囲まれる四角形は、空間55の四辺52で囲まれる四角形よりも小さくて対向する各辺の間隔が狭いので、図３（ｂ）の断面図に示すように、開口51の周囲において内向きに突条54ａを膨出している。
【００１８】
嵌合凹部５の開口51における四辺54の突条54ａは、嵌合凸部４を嵌合させたときに、嵌合凸部４の突起42が存在する部位に配置され、半円形の隅部53は、嵌合凸部４の突起42が欠けた部位43に配置されている。
【００１９】
蓋部分２を身部分１に重ねて封緘する際には、ホック部をなす嵌合凸部４と嵌合凹部５とを指先で押さえ付けると、嵌合凸部４の突起42によって嵌合凹部５の突条54ａを拡げるように変形させて開口51を通過させ、図３（ｃ）の断面図に示すように嵌合させることができる。
【００２０】
嵌合凹部５の空間55は箱状であって、開口51の四辺54の各角に半円形の隅部53を形成しているので、開口51の突条54ａが外向きに拡がって、嵌合凸部４の突起42を容易に通過させることができ、通過した嵌合凸部４の突起42は、嵌合凹部５の四辺52と接した状態でガタツクことなく両者を安定に嵌合させることができる。
【００２１】
容器を開封するときには、フランジ11、21を引き剥がすことにより、嵌合凸部４の突起42で嵌合凹部５の突条54ａを拡げるように変形させることにより、嵌合凸部４を引き出して開封すことができる。
【図面の簡単な説明】
【００２２】
【図１】この発明のホック部を有する薄肉合成樹脂製の包装容器の一例を示す斜視図、
【図２】ホック部を拡大して示す包装容器の身部分および蓋部分の平面図、
【図３】図２の線Ａ−Ａおよび線Ｂ−Ｂで裁断して示す断面図、
【図４】薄肉合成樹脂製の包装容器における従来のホック部の一例を示す断面図（ａ）、（ｂ）および平面図（ｃ）である。
【符号の説明】
【００２３】
１  身部分
２  蓋部分
３  連結部分
４  嵌合凸部
５  嵌合凹部
11、21  フランジ部
41  頂部
42  突起
43  突起が欠けた部位
51  開口
52  空間の四辺
53  隅部
54  開口の四辺
54a  突条
55  嵌合凸部を嵌合させる空間
【図１】
2007045495.tif 000003
【図２】
2007045495.tif 000004
【図３】
2007045495.tif 000005
【図４】
2007045495.tif 000006